(57)【要約】【課題】より変化に富んだ趣向を味わうことができる風鈴型の玩具を提供する。【解決手段】バッテリ９から電源が供給されると発光するＬＥＤ１２、１２・・や、音声を発生させる音声部材、及びモータが動作する可動部材のうちの少なくともいずれか一つを、本体２及び／又は棒体３等に設け、本体２又は棒体３等の揺動部材のうちのいずれか一方が揺動することによって、バッテリ９からＬＥＤ１２、１２・・等への電源供給のＯＮ／ＯＦＦを切り替えるスイッチ機構２０を設けた。【選択図】図２
0003121130.tif 000002
【実用新案登録請求の範囲】
【請求項１】
天井や軒下等に吊される本体と、該本体の下方に前記本体に対して揺動自在に取り付けられた揺動部材とを備えた玩具であって、
電源が供給されると発光する発光部材、音声を発生させる音声部材、及び任意の動作を行う可動部材のうちの少なくともいずれか一つが、本体及び／又は揺動部材に設けられているとともに、各前記部材へと電源を供給するための主電源を備えており、
前記本体又は揺動部材のうちのいずれか一方が揺動することによって、前記主電源から各前記部材への電源供給のＯＮ／ＯＦＦを切り替えるスイッチ機構が設けられていることを特徴とする玩具。
【請求項２】
スイッチ機構は、少なくとも本体及び揺動部材のうちのいずれか一方と連結された揺動部と、該揺動部の周囲に設けられた接触部とを備えており、前記揺動部と前記接触部との接触／非接触により、ＯＮ／ＯＦＦが切り替わることを特徴とする請求項１に記載の玩具。
【請求項３】
スイッチ機構の有効／非有効を切り替えるための主スイッチ機構を設けたことを特徴とする請求項１又は２に記載の玩具。
【請求項４】
設置されている発光部材、音声部材、又は可動部材の動作を制御する制御装置が設けられており、スイッチ機構においてＯＮとなると、前記制御装置はＯＮとなってから所定時間にわたって各前記部材を動作させることを特徴とする請求項１〜３のいずれかに記載の玩具。
【請求項５】
揺動部材を本体内から外方へと突出するように設けるとともに、前記揺動部材に、揺動した際に本体と衝突して音を発生させる衝突部を設けたことを特徴とする請求項１〜４のいずれかに記載の玩具。
【請求項６】
主スイッチ機構をプルスイッチとするとともに、揺動部材の引っ張り操作にて主スイッチ機構における切り替えを行うようにしたことを特徴とする請求項１〜５のいずれかに記載の玩具。
【考案の詳細な説明】
【技術分野】
【０００１】
本考案は、たとえば風によって本体や揺動部材が揺れ動くことにより、ランプが光ったり、音が鳴ったりする風鈴型の玩具に関するものである。
【背景技術】
【０００２】
従来より、内部が空洞の球状に形成された風鈴本体からガラス製の棒体を吊設するとともに、該棒体の下端に短冊を取り付けており、短冊が風を受けて棒体とともに揺動すると、棒体と風鈴本体とが衝突して音を出す風鈴が一般的に知られている。
【考案の開示】
【考案が解決しようとする課題】
【０００３】
しかしながら、従来の風鈴では、風鈴本体と棒体とが衝突した際に生じる音色しか味わえないため、単調で飽きやすいといった問題を抱えている。また、風鈴本体や棒体の形状や素材等を変えたところで、生じる音色がそれ程変わるわけでもなく、趣向性に乏しいと言える。
【０００４】
そこで、本考案は、上記課題に鑑みなされたものであって、より変化に富んだ趣向を味わうことができる風鈴型の玩具を提供しようとするものである。
【課題を解決するための手段】
【０００５】
上記目的を達成するために、本考案のうち請求項１に記載の考案は、天井や軒下等に吊される本体と、該本体の下方に前記本体に対して揺動自在に取り付けられた揺動部材とを備えた玩具であって、電源が供給されると発光する発光部材、音声を発生させる音声部材、及び任意の動作を行う可動部材のうちの少なくともいずれか一つが、本体及び／又は揺動部材に設けられているとともに、各前記部材へと電源を供給するための主電源を備えており、前記本体又は揺動部材のうちのいずれか一方が揺動することによって、前記主電源から各前記部材への電源供給のＯＮ／ＯＦＦを切り替えるスイッチ機構が設けられていることを特徴とする。
請求項２に記載の考案は、請求項１の考案において、スイッチ機構は、少なくとも本体及び揺動部材のうちのいずれか一方と連結された揺動部と、該揺動部の周囲に設けられた接触部とを備えており、前記揺動部と前記接触部との接触／非接触により、ＯＮ／ＯＦＦが切り替わることを特徴とする。
請求項３に記載の考案は、請求項１又は２の考案において、スイッチ機構の有効／非有効を切り替えるための主スイッチ機構を設けたことを特徴とする。
請求項４に記載の考案は、請求項１〜３のいずれかの考案において、設置されている発光部材、音声部材、又は可動部材の動作を制御する制御装置が設けられており、スイッチ機構においてＯＮとなると、前記制御装置はＯＮとなってから所定時間にわたって各前記部材を動作させることを特徴とする。
請求項５に記載の考案は、請求項１〜４のいずれかの考案において、揺動部材を本体内から外方へと突出するように設けるとともに、前記揺動部材に、揺動した際に本体と衝突して音を発生させる衝突部を設けたことを特徴とする。
請求項６に記載の考案は、請求項１〜５のいずれかの考案において、主スイッチ機構をプルスイッチとするとともに、揺動部材の引っ張り操作にて主スイッチ機構における切り替えを行うようにしたことを特徴とする。
【考案の効果】
【０００６】
本考案によれば、本体又は揺動部材のうちのいずれか一方が揺動することによって、主電源から各部材への電源供給のＯＮ／ＯＦＦを切り替えるスイッチ機構が設けられている。つまり、風を受ける等して本体又は揺動部材が揺動すると、その動きに伴ってたとえば発光部材や音声部材が動作するため、従来にない趣向を味わうことができる。また、発光部材、音声部材、及び可動部材等を組み合わせることができるため、一つの玩具で様々な趣向を楽しむことができ、いつまでも飽きることなく使用することができる。さらに、その発光部材、音声部材、及び可動部材を組み合わせることで、多種多様な玩具を容易に製造することができるため、より変化に富んだ様々なタイプの玩具を消費者に提供することができる。
また、請求項２の考案によれば、少なくとも本体及び揺動部材のうちのいずれか一方と連結された揺動部と、該揺動部の周囲に設けられた接触部とでスイッチ機構を構成し、揺動部と接触部との接触／非接触により、ＯＮ／ＯＦＦを切り替える構成としている。したがって、スイッチ機構が本体や揺動部材の動きに伴って確実にＯＮ／ＯＦＦを切り替えることができる。
さらに、請求項３の考案によれば、スイッチ機構の有効／非有効を切り替えるための主スイッチ機構を設けたため、玩具を使用しない場合、主スイッチ機構によりスイッチ機構を非有効状態としておくことで、余分な電力消費を防止することができる。
さらにまた、請求項４の考案によれば、スイッチ機構にてＯＮとなった際、制御装置がＯＮとなってから所定時間にわたって発光部材や音声部材等を動作させるようにしている。したがって、各部材により複雑な動作をとらせることが可能となる上、消費者は、発光部材や音声部材、可動部材等の動作態様を確実且つ十分に楽しむことができる。
またさらに、請求項５の考案によれば、従来の風鈴の如き本体と揺動部材との衝突音をも楽しむことができる。
加えて、請求項６の考案によれば、主スイッチ機構としてプルスイッチを採用するとともに、揺動部材にてプルスイッチを操作する構成としているため、主スイッチ機構の切り替えを行うための別途部材を設ける必要がない合理的な構成とすることができる。
【考案を実施するための最良の形態】
【０００７】
以下、本発明の一実施形態となる風鈴型玩具（以下、玩具と称す）について図面を基に説明する。
【０００８】
図１は、玩具１の外観を示した斜視説明図であり、図２は、玩具１の本体２内部を示した断面説明図である。
玩具１は、ガラス製の本体２と、該本体２から吊設された棒体（揺動部材）３とを備えた風鈴型の玩具である。本体２は、内部に空間を有する球状体に形成されており、その下面には比較的大径の開口４が、上面には丸孔５が夫々開設されている。
【０００９】
一方、棒体３は、本体２内から開口４を介して下方へと突出するように吊設されており、開口４にて拘束される範囲内で本体２に対して揺動自在に設けられている。また、棒体３は、赤色ＬＥＤや青色ＬＥＤ等の種々のＬＥＤ（発光部材）１２、１２・・が取り付けられた筒状の発光部６と、該発光部６の下方に連設され、揺動時に本体２の開口４と衝突するガラス製の衝突部７とからなる。さらに、衝突部７の下端には、一般的な風鈴に見られるような短冊８が取り付けられている。
【００１０】
また、本体２内部であって棒体３の上方には、後述の如くして発光部６における点灯状態のＯＮ／ＯＦＦを操作するスイッチ機構２０が設けられている。加えて、本体２の上方には、発光部６へと電源を供給するためのバッテリ（主電源）９が設けられており、該バッテリ９には玩具１を吊り下げるための吊紐１０が取り付けられている。
そして、棒体３、スイッチ機構２０、及びバッテリ９は、丸孔５に挿通される図示しない紐等の連結部材によって、本体２を貫通した状態で一連となるように連結されている。
【００１１】
ここで、図３を基に、スイッチ機構２０について説明する。図３は、スイッチ機構２０を模式的に示した説明図である。
スイッチ機構２０は、非導電性の合成樹脂等からなる収納ケース内に、導電性のリング（接触部）２１と、該リング２１よりも小径に形成された導電性の球体（揺動部）２２とを備えたものであって、球体２２は、連結部材によって棒体３と連結されており、棒体３に同期してリング２１内を揺動可能に設置されている。また、リング２１はバッテリ９の負極に、球体２２はバッテリ９の正極に（ＬＥＤ１２、１２・・を介して）夫々接続されている。さらに、球体２２は、発光体６に取り付けられる各種ＬＥＤ１２、１２・・と接続されている。そして、球体２２とリング２１とが接触すると、バッテリ９からＬＥＤ１２、１２・・へと通電がなされ、各ＬＥＤ１２が点灯するようになっている。尚、球体２２は、揺動に伴いリング２１と接触するようリング２１内に嵌装されている。したがって、球体２２が停止している場合等には、球体２２とリング２１とは非接触状態となる。また、各ＬＥＤ１２から延びる導線は発光部６内を通されている。
【００１２】
以上のような構成を有する玩具１の動作について、以下説明する。
吊紐１０により天井や軒下等に吊り下げられた玩具１の短冊８が風を受ける等して揺動し始めると、棒体３も短冊８とともに揺動する。該棒体３の揺動に伴い、スイッチ機構２０において球体２２が揺動してリング２１に接触すると、球体２２とリング２１とが接触している間だけ、ＬＥＤ１２、１２・・へと通電がなされ、発光部６においてＬＥＤ１２、１２・・が点灯する。そして、球体２２は揺動することによってリング２１との接触／非接触を不定期に繰り返すため、該接触／非接触のタイミングに同期して、各ＬＥＤ１２は不定期に点灯／消灯を繰り返す。
また、棒体３が揺動することによって、衝突部７が本体２の開口４に衝突し、従来の風鈴が奏でるような音色が生じる。
【００１３】
上述の如き玩具１によれば、棒体３が揺動することによって、ＬＥＤ１２、１２・・が不定期な点灯／消灯を繰り返すため、従来にない趣向を味わうことができる。また、ＬＥＤ１２、１２・・が点灯／消灯するだけではなく、従来の風鈴同様の音色をも楽しむことができるため、いつまでも飽きることなく使用することができる。
さらに、本体２の形状や材質等を異ならせることに加えて、発光部６におけるＬＥＤ１２、１２・・の設置数や設置位置、発光する色等を異ならせることで、趣向性という点において個々の玩具の個性をより強調することができる。したがって、より変化に富んだ様々なタイプの玩具１を消費者に提供することができる。
【００１４】
なお、本考案の玩具に係る構成は、上記実施形態の態様に何ら限定されるものではなく、各部材の形状、素材、大きさ、及び設置数等に係る構成を本考案の趣旨を逸脱しない範囲で、必要に応じて適宜変更することができる。
【００１５】
たとえば、上記実施形態では、スイッチ機構のＯＮ／ＯＦＦによって、ＬＥＤが発光するような構成としているが、ＬＥＤが発光する代わりに、スピーカから音声が流れるような構成としたり、何らかの可動部材が動作するような構成とすることも可能である。
【００１６】
ここで、上記変更例について説明する。
たとえば、スピーカから音声が流れる構成としたい場合には、本体を虫かご状に形成し、本体内に鈴虫や茄子等を模した装飾部材を設置するとともに、該装飾部材内にスイッチ機構のＯＮ／ＯＦＦによって動作するスピーカ（音声部材）を設ければよい。そして、虫かご状の本体の下方に短冊を有する揺動部材、及びスイッチ機構等を設け、短冊が風を受ける等して揺動部材が揺動することにより、スイッチ機構においてＯＮ／ＯＦＦが切り替わり、スイッチ機構がＯＮとなるタイミングでスピーカから鈴虫の鳴き声がするような構成とすることができる。このような構成とすることによって、上記発光型の玩具と同様、趣向性に富んだ玩具を提供することができる。
【００１７】
一方、スイッチ機構のＯＮ／ＯＦＦによって可動部材を動作させるような場合には、バッテリボックスとしての機能をも有する本体の下方に、スイッチ機構を設置するとともに、紐状の揺動部材を吊り下げ、該揺動部材にモータにより各種動作（たとえば、金魚型に形成した場合、尾ひれが動いたり、口が開いたりする動作）を行う可動部材や短冊等を取り付けるような構成が考えられる。そして、短冊が風を受ける等して揺動部材が揺動することにより、スイッチ機構においてＯＮ／ＯＦＦが切り替わり、スイッチ機構がＯＮとなるタイミングで可動部材を回転させるようにすればよい。このような構成にすることによっても、上記発光型の玩具と同様、趣向性に富んだ玩具を提供することができる。
【００１８】
さらに、上記発光型、音声型、及び可動型の夫々の形態を任意に組み合わせた玩具とすることも当然可能であるし、揺動部材が本体と衝突するかしないか（衝突音型）といった構成も適宜組み合わせ可能である。したがって、たとえば発光型と可動型とを組み合わせたもの、音声型と可動型を組み合わせたもの、音声型と衝突音型とを組み合わせたもの、全てを備えたもの等様々な組み合わせが考えられる。尚、上記変更例に記載した音声型や可動型のものは衝突音がしないタイプであり、また、実施形態にて記載した形状であっても本体や衝突部を合成樹脂等により形成することによって衝突音がしないような構成とすることができる。
【００１９】
さらにまた、上記発光型、音声型、及び可動型の玩具において、ＩＣチップ等の制御装置を設け、スイッチ機構にてＯＮとなると、ＯＮとなってから所定時間にわたり制御装置による制御のもとで発光部材や音声部材、可動部材等を動作させるような構成とすることもできる。このような構成とすることで、発光部材や音声部材、可動部材により複雑な動作をとらせることが可能となり玩具の趣向性が一層増す上、特に音声部材や可動部材を備えた玩具にあっては、上記変更例に記載の如くＯＮとなっている間だけ動作するものと比較して、その動作を確実且つ十分に楽しむことができるといった効果を奏する。
【００２０】
加えて、上記実施形態では、発光部材としてＬＥＤを採用しているが、ＬＥＤに代えて様々な色に着色された色フィルタを有する発光ランプを採用することも当然可能である。このような発光ランプを採用することにより、発光ランプを交換するだけで発光態様を容易に変更することができるし、発光ランプが壊れたりして正常に動作しなくなった場合等には発光ランプを交換するだけで対応可能であり、メンテナンス作業等が容易となるといった効果を奏する。
【００２１】
また、スイッチ機構の有効／非有効を切り替える主スイッチ機構を設けることも可能である。すなわち、主スイッチ機構がＯＮとなっていない場合には、スイッチ機構にて揺動部と接触部が接触したところで発光部材が発光したり、音声部材が音声を生じたりはしない構成とすることができる。該構成とすることにより、余分な電力消費を抑えることができる。さらに、該主スイッチ機構は、プルスイッチを採用することができ、短冊や紐体を引っ張り操作することによって主スイッチ機構のＯＮ／ＯＦＦを切り替えるような構成が考えられる。
【００２２】
尚、スイッチ機構における揺動部及び接触部の形状や設置態様に係る構成も当然変更可能であって、たとえば揺動部としては球体に代えて円柱状体を採用しても当然よいし、接触部としてはリングに代えて、複数の接触検知スイッチを球体の周囲に設置するような構成としても何ら問題はない。さらに、上記実施形態や変更例に記載の構成では、本体の下方に吊設された揺動部材が本体に対して揺動することによってスイッチ機構のＯＮ／ＯＦＦが切り替わる構成としているが、本体そのものが揺動することによりスイッチ機構のＯＮ／ＯＦＦが切り替わるような構成としても何ら問題はない。
【図面の簡単な説明】
【００２３】
【図１】玩具の外観を示した斜視説明図である。
【図２】玩具の本体内部を示した断面説明図である。
【図３】スイッチ機構を模式的に示した説明図である。
【符号の説明】
【００２４】
１・・玩具、２・・本体、３・・棒体、４・・開口、５・・丸孔、６・・発光部、７・・衝突部、８・・短冊、９・・バッテリ、１０・・吊紐、１２・・ＬＥＤ、２０・・スイッチ機構、２１・・リング、２２・・球体。
【図１】
0003121130.tif 000003
【図２】
0003121130.tif 000004
【図３】
0003121130.tif 000005